(57)【特許請求の範囲】
【請求項１】
保護ヘルメットであって、
ヘルメットシェルと、
少なくともヘッドバンド、ネックバンド、及び複数の支持ストリップを含み、着用者の頭部に装着される内装構造体サブアセンブリと、
前記内装構造体サブアセンブリを前記ヘルメットシェルに結合させるための結合手段とを含んでおり、
前記複数の支持ストリップは、支持ケージを形成し、
前記結合手段が、スペーサとして形成され、かつ前記支持ケージと一体的に形成された少なくとも３つの支持アームを含み、前記支持アームは、剛性体であり、後頭部領域及び左右のこめかみ領域において前記支持ケージから斜め後向きまたは斜め下向きに延出しており、
前記ヘルメットシェル及び前記支持アームが、前記内装構造体サブアセンブリ及び前記ヘルメットシェルの間に、前記内装構造体サブアセンブリの周囲に連続的に延在する間隙であって、少なくとも耳保護具の耳覆い部材及び支持ブラケットを含むヘルメット付属品、並びに少なくとも顔面保護具及び耳保護具を含むその他のヘルメット付属品のための取付具を収容する、前記間隙が形成されるような寸法に形成され配置されており、
前記ヘルメットシェルの内面の左右のこめかみ領域において下向きに突出する棒状突出体が形成されており、
前記左右のこめかみ領域における前記支持アームに前記棒状突出体が貫通し係合可能な貫通孔が形成されており、かつ
前記ヘルメット付属品の少なくとも１つのための取付具が、前記支持アームの前記貫通孔を貫通し係合した前記棒状突出体上に嵌合されるコネクタによって前記保護ヘルメットに結合されていることを特徴とする保護ヘルメット。
【請求項２】
請求項１に記載の保護ヘルメットであって、
前記支持ケージが、硬くて、弾性的にフレキシブルな材料から形成されており、
前記支持アームの遊端が前記ヘルメットシェルにそれぞれ結合されるように構成されていることを特徴とする保護ヘルメット。
【請求項３】
請求項１または２に記載の保護ヘルメットであって、
前記耳保護具の前記取付具が、前記ヘルメットシェルの内面に配置され、かつ前記耳覆い部材を保持する左右２つの前記支持ブラケットをそれぞれ回動可能に支持する左右２つの耳保護具支持部を含むことを特徴とする保護ヘルメット。
【請求項４】
請求項３に記載の保護ヘルメットであって、
前記耳保護具支持部及び前記支持ブラケットが、前記支持ブラケットを前記間隙内で、前記耳覆い部材が着用者の耳を覆う使用位置と、前記耳覆い部材が前記間隙に収容される待機位置との間で回動変位させることができるように構成され配置されていることを特徴とする保護ヘルメット。
【請求項５】
請求項２ないし４のいずれかに記載の保護ヘルメットであって、
前記顔面保護具が、バイザー及び該バイザーを支持する左右２つのバイザー支持アームを含み、
前記顔面保護具の前記取付具が、前記ヘルメットシェルの内面に配置され、かつ左右２つの前記バイザー支持アームをそれぞれ回動可能に支持する左右２つの顔面保護具支持部を含むことを特徴とする保護ヘルメット。
【請求項６】
請求項５に記載の保護ヘルメットであって、
前記顔面保護具支持部及び前記バイザー支持アームが、前記バイザー支持アームを前記間隙内で、前記バイザーが着用者の顔面を覆って保護する使用位置と、前記バイザーが前記ヘルメットシェルの外面に密接に隣接して配置される待機位置との間で回動変位させることができるように構成され配置されていることを特徴とする保護ヘルメット。
【請求項７】
請求項２ないし６のいずれかに記載の保護ヘルメットであって、
前記支持ケージが、その下側縁部に、周縁が閉じた形状の支持ストリップを含み、
前記支持ストリップに前記支持アームが一体的に形成されていることを特徴とする保護ヘルメット。
【請求項８】
請求項７に記載の保護ヘルメットであって、
前記ネックバンドが、前記支持ケージに結合されており、かつネック領域において前記ネックバンドの２つの端部を互いに締結するための締結ユニットを備えており、
前記締結ユニットが前記間隙内に収容されていることを特徴とする保護ヘルメット。
【請求項９】
請求項８に記載の保護ヘルメットであって、
前記締結ユニットが、
前記ネックバンドを締結するためのロック用フラップと、
前記ネックバンドを前記ロック用フラップによって締結したときに、ヘルメットの着用者の後頭部を当接支持する支持シェルとを有していることを特徴とする保護ヘルメット。
【請求項１０】
請求項２ないし９のいずれかに記載の保護ヘルメットであって、
左右のこめかみ領域において下向きに延出して形成された前記支持アームが、該支持アームを前記ヘルメットシェルの内面に着脱自在に結合させるための結合手段を有していることを特徴とする保護ヘルメット。
【請求項１１】
請求項１０に記載の保護ヘルメットであって、
前記支持アームの前記結合手段が、該支持アームを前記ヘルメットシェルの内面に確実に結合させることができるように構成されていることを特徴とする保護ヘルメット。
【請求項１２】
請求項２ないし１１のいずれかに記載の保護ヘルメットであって、
後頭部領域において後向きに延出して形成された前記支持アームが、該支持アームをヘルメットシェルに結合させるための結合手段を有していることを特徴とする保護ヘルメット。
【請求項１３】
請求項５に記載の保護ヘルメットであって、
前記顔面保護具支持部が、前記支持アームの前記の貫通孔と係合した前記棒状突出体上に嵌合される前記コネクタによって前記保護ヘルメットに結合されていることを特徴とする保護ヘルメット。
【請求項１４】
請求項１ないし１３のいずれかに記載の保護ヘルメットであって、
前記棒状突出体が、前記棒状突出体における前記貫通孔の内側幅以上の幅を有する幅広部分を有し、
前記貫通孔が、前記棒状突出体における前記貫通孔の内側幅以上の幅を有する前記幅広部分と係合するように構成し
上側から前記ヘルメットシェルに作用する負荷に起因する力が、前記棒状突出体を介して前記支持アームに加えられることを特徴とする保護ヘルメット。
【請求項１５】
請求項１ないし１４のいずれかに記載の保護ヘルメットであって、
前記支持ケージが、下向きに延出して形成され、かつ前記ネックバンドと選択された高さで各々結合可能な２つの連結アームを有することを特徴とする保護ヘルメット。
【請求項１６】
請求項１５に記載の保護ヘルメットであって、
前記支持アーム及び前記連結アームが、それらと一体的に形成したリブによって補強されていることを特徴とする保護ヘルメット。
【発明の詳細な説明】
【技術分野】
【０００１】
本発明は、ヘルメットシェルと、ヘルメット装着者の頭部に装着されるサブアセンブリを含む内装構造体とを備えた保護ヘルメット、特に森林作業者用の保護ヘルメットに関する。前記内装構造体サブアセンブリは、少なくとも１つの支持ケージ、１つのヘッドバンド、１つのネックバンド及び該サブアセンブリを前記ヘルメットシェルに取り付けるための取付手段を含む。
【背景技術】
【０００２】
このタイプの保護ヘルメットは、特許文献１から公知である。この公知の保護ヘルメットは基本的なヘルメットであり、付属品を交換することにより、様々な作業条件下で様々な目的に適用可能である。この保護ヘルメットは、ヘルメットシェルと最低限の内装構造とから構成されている。内装構造体は、ヘルメットを着用者の頭部に装着させ、かつ頭部とヘルメットシェルとの間に衝撃吸収空間を確保するための交差ストラップから構成されている。このヘルメットは、その外周部に、ヘルメットの側部及び後部に延在する突出部と、ヘルメットの下側縁部に設けられた、前記交差ストラップを取り付けるための４つの凹部と、追加の付属品を取り付けるためのさらなる凹部とを有している。このヘルメットの基本的形態は、付属品を使用しない単純な一般的なヘルメットとして使用される。付属品は、必要に応じて取り付けたり取り外したりすることができる。ヘルメットの最も幅が広い部分において、その部分に延在する前記突出部の外側に凹部が設けられる。これが、顔面及び耳保護具の取付位置である。前記保護具は、バイザーと、ワイヤブラケット及び耳覆い部材を各々有する２つの耳保護具とから構成される。前記顔面及び耳保護具は、前記突出部に設けられた前記凹部に挿入される一般的な結合手段によって、ヘルメットの外面に取り付けられる。このような保護具を備えたヘルメットの欠点は、現場作業時に、ヘルメットに衝突した障害物が前記耳保護具及び／またはバイザーのブラケットに引っ掛かり、それにより、ヘルメットの着用者の作業を妨げたり、ヘルメットを剥ぎ取ってヘルメットの着用者を危険にさらしたりすることである。
【０００３】
顔面及び／または耳保護具などのヘルメット付属品を保護ヘルメットの外面に取り付けることが、特許文献２〜７に開示されている。これらの特許文献から公知の保護ヘルメットもまた、障害物が耳及び／または顔面保護具のブラケットに引っ掛かった場合は、ヘルメットの着用者の作業が妨げられたり、ヘルメットの着用者が危険にさらされたりする。
【０００４】
ヘルメットシェルの外側に取り付けられるヘルメット付属品を有していない保護ヘルメットについての、内装構造体サブアセンブリとヘルメットシェルとの相互結合が、下記の特許文献に記載されている。
【０００５】
特許文献８には、支持ケージ、ヘッドバンド及びネックバンドから構成されヘルメットの着用者の頭部に装着されるサブアセンブリを含む内装構造体を備えた保護ヘルメットが開示されている。この保護ヘルメットは、ヘルメットシェルと、ヘルメットシェルの下側縁部に取り付けられるシールドとをさらに備えており、前記内装構造体サブアセンブリは、該アセンブリを前記シールドに取り付けるための結合要素を有している。
【０００６】
特許文献９には、支持ケージ、ヘッドバンド及びネックバンドを有し、かつヘルメットの着用者の頭部に装着されるサブアセンブリを含む内装構造体を備えた保護ヘルメットが開示されている。前記内装構造体は、二重壁構造ヘルメットシェルの下側縁部の４カ所に形成された形成された溝部に挿入される結合用突起部によって、ヘルメットシェルに取り付けられる。前記ヘッドバンドは、ヘルメットの着用者の頭部のサイズ及び形状に容易に適合可能なフレキシブルな材料から形成されている。
【０００７】
特許文献１０には、支持ケージ、ヘッドバンド及びネックバンドを含みヘルメットの着用者の頭部に装着される内装構造体サブアセンブリと、前記内装構造体サブアセンブリを取り囲む衝撃吸収ユニットとが、ヘルメットシェル内に配置された安全ヘルメットが開示されている。ヘルメットシェルの内面には、衝撃吸収ユニット及び内装構造体アブアセンブリをねじで取り付けるための突出部が設けられている。この公知の安全ヘルメットでは、ヘルメットシェルの内面に面する衝撃吸収ユニットの外面に、外部に引き出される接続線を有する送受信器を収容可能な凹部を設けることができるように、衝撃吸収ユニットは十分な厚さを有して形成されている。
【先行技術文献】
【特許文献】
【０００８】
【特許文献１】DE 87 14 490U1（ドイツ国実用新案公報）
【特許文献２】DE 28 26 636C2（ドイツ国特許公報）
【特許文献３】DE 29 07 056A1（ドイツ国特許公報）
【特許文献４】DE 33 14 595C2（ドイツ国特許公報）
【特許文献５】DE 35 90 667C2（ドイツ国特許公報）
【特許文献６】DE 97 10 596U1（ドイツ国実用新案公報）
【特許文献７】DE 297 08 134U1（ドイツ国実用新案公報）
【特許文献８】DE 10 2004 004044B4（ドイツ国特許公報）
【特許文献９】DE 69 81 1738T2（ドイツ国の欧州特許翻訳公開）
【特許文献１０】ＰＣＴ国際特許公開第WO 2005/027671 A1号
【発明の概要】
【発明が解決しようとする課題】
【０００９】
上述した全ての公知の保護ヘルメットは、ヘルメットに作用する外力が、内装構造体（特に交差ストラップで形成された支持ケージ）を介して、ヘルメットの着用者の頭部に実質的に完全に伝達される点で共通している。すなわち、交差ストラップは、着用者の頭部にヘルメットを密着させて保持するための別の機能を有しているので、衝撃吸収機能はある程度までしか果たすことができない。そのため、向上した衝撃吸収能力を有する保護ヘルメット用の内装構造体が求められている。
【００１０】
本発明の目的は冒頭に説明した及び最初に述べた文献（特許文献１）から公知のタイプの保護ヘルメットであって、衝撃吸収能力を向上させ、かつ、ヘルメットに取り付けられる顔面及び／または耳保護具などのヘルメット付属品に起因して使用時にヘルメットが障害物に引っ掛かる危険性を排除することができる、特に森林作業用に好適な保護ヘルメットを提供することにある。
【課題を解決するための手段】
【００１１】
本発明によれば、上記課題は、スペーサとして形成された少なくとも３つの支持アームを含む結合手段を設けることによって、及び、ヘルメットシェル及び前記支持アームを、内装構造体サブアセンブリとヘルメットシェルとの間に、耳保護具、他のヘルメット付属品、並びに顔面保護具及び／または耳保護具の取付具を収容するための間隙が形成されるような寸法に形成し配置することによって解決される。
【００１２】
本発明の保護ヘルメットでは、顔面保護具及び耳保護具の支持アームまたは支持ブラケットが木の枝などの障害物に引っ掛からないようにするために前記支持アームまたは支持ブラケットを保護ヘルメットの周縁部の内側に配置するために、顔面保護具及び／または耳保護具の取付具はヘルメットシェルの内面に配置される。耳保護具が不要な場合は、保護ヘルメットの周縁部の内側で耳保護具を後方へ回動変位させる。このことにより、耳保護具が障害物に引っ掛かる可能性がさらに低くなる。顔面保護具の取付具も前記間隙内に配置されるので、バイザーを上げた状態でも下げた状態でも、バイザーが木の枝などの障害物に引っ掛からないようにすることができる。支持アームは、内装構造体サブアセンブリとヘルメットシェルとの間のスペーサとして構成されており、ヘルメットシェルを変形させることだけにより、ヘルメットに作用する外力を吸収する。そのため、本発明による内装構造体サブアセンブリを含む保護ヘルメットは、全体として、着用者の頭部に伝達される力がより少なくなるので、より良好な衝撃吸収能力を有する。
【００１３】
特許請求の範囲のサブクレームに記載されている内容は、本発明の好適な実施形態である。
【００１４】
本発明の保護ヘルメットの一実施形態では、前記支持ケージが、硬くて、弾性的にフレキシブルな材料から形成されており、前記支持アームが、剛性体であり、左右のこめかみ領域及び後頭部領域において前記支持ケージから斜め下向きまたは斜め後向きに延出して形成されており、かつ該支持アームの遊端がヘルメットシェルにそれぞれ結合されるように構成されている。本発明による保護ヘルメットは、硬くて、弾性的にフレキシブルな材料から形成された支持ケージにおいて、支持機能と衝撃吸収機能とが組み合わされている。斜め下向きまたは斜め後向きに延出して形成された前記支持アームは衝撃吸収機能を果たすために該支持アームの遊端で前記ヘルメットシェルに支持されている。そのため、上側から前記ヘルメットシェルに外圧が作用した場合、前記ヘルメットシェルにより前記支持アームに引張荷重が加えられ、それにより、前記支持アームは前記ヘルメットシェルを内向きに変形させようとする。
【００１５】
本発明による保護ヘルメットのさらなる実施形態では、前記耳保護具の前記取付具が、前記ヘルメットシェルの内面に配置され、かつ前記耳覆い部材を保持する左右２つの前記各支持ブラケットをそれぞれ回動可能に支持する左右２つの耳保護具支持部を含む。この実施形態では、支持ブラケット及び耳覆い部材に加えて、耳保護具支持部も、保護ヘルメットが障害物と衝突したときに生じる外力の影響から保護される。
【００１６】
本発明による保護ヘルメットのさらなる実施形態では、前記耳保護具支持部及び前記支持ブラケットは、前記支持ブラケットを前記間隙内で、前記耳覆い部材が着用者の耳を覆うかつ前記ヘルメットシェルの周縁部の内側に依然として位置する使用位置と、前記耳覆い部材が前記間隙に収容される待機位置との間で回動変位することができるように構成され配置される。この実施形態では、前記支持ブラケット及び前記耳覆い部材は、使用位置及び待機位置の両方の位置において、障害物と引っ掛かったり絡まったりする部分を提供しない。
【００１７】
本発明による保護ヘルメットのさらなる実施形態では、顔面保護具の取付具は、ヘルメットシェルの内面に配置され、かつバイザーの２つのバイザー支持アームをそれぞれ回動可能に支持する左右２つの顔面保護具支持部を含む。この実施形態では、バイザー支持アーム及び、該アームとバイザーとの結合部分は、木の枝などの障害物に引っ掛かる部分を提供しないように、単純な形態で形成される。
【００１８】
本発明による保護ヘルメットのさらなる実施形態では、前記顔面保護具支持部及び前記バイザー支持アームは、前記バイザー支持アームを前記間隙内で、前記バイザーが顔面を覆って保護する使用位置と、前記バイザーが前記ヘルメットシェルの外面に密接に隣接して配置される待機位置との間で回動変位させることができるように構成され配置される。この実施形態では、前記支持アームは、木の枝などの障害物に引っ掛かることがないように、前記ヘルメットシェルの周縁部の内側に最初から位置するようにバイザーに設けられる。
【００１９】
本発明による保護ヘルメットのさらなる実施形態では、支持ケージは、その下側縁部に、周縁が閉じた形状の環状支持ストリップを含み、この環状支持ストリップに前記支持アームが一体的に形成されている。この実施形態では、前記支持アーム及び前記環状支持ストリップは、要求される剛性を有する１つの一体部品として構成されており、前記支持ケージの他の部分と協働して十分な衝撃吸収能力を提供する。
【００２０】
本発明による保護ヘルメットのさらなる実施形態では、前記ネックバンドは、前記支持ケージに結合されており、かつ該ネックバンドの２つの端部をネック領域において互いに締結するための締結ユニットを備えている。前記締結ユニットは、前記間隙内に収容される。このことにより、前記ネックバンドは、障害物との衝突の影響から保護され、かつヘルメットの着用者が操作することができる。
【００２１】
本発明による保護ヘルメットのさらなる実施形態では、前記締結ユニットは、前記ネックバンドをロック用フラップによって締結したときに、ヘルメット着用者の後頭部を当接支持する支持シェルを含む。この実施形態は、着用者が片手で確実に操作することを可能にし、その上、内装構造体サブアセンブリを着用者の頭部に簡単な方法で装着することを可能にする。一般的な顎ストラップを使用することにより、さらなる安全性を提供することができる。
【００２２】
本発明による保護ヘルメットのさらなる実施形態では、左右のこめかみ領域において下向きに延出して形成された前記支持アームは、該支持アームをヘルメットシェルの内側に着脱自在に結合させるための結合手段を有している。したがって、前記内装構造体サブアセンブリを前記ヘルメットシェルに着脱自在に取り付けることができる。
【００２３】
本発明による保護ヘルメットのさらなる実施形態では、下向きに延出して形成された前記各支持アームの前記結合手段は、前記支持アームを前記ヘルメットシェルに確実に結合させることができるように構成されている。このことにより、前記内装構造体サブアセンブリを前記ヘルメットシェルの内面に結合させた位置を介して、前記ヘルメットシェルに加えられた外力を前記内装構造体サブアセンブリに単純な方法で伝達することができる。
【００２４】
本発明による保護ヘルメットのさらなる実施形態では、後頭部領域において後向きに延出して形成された前記支持アームは、該支持アームを前記ヘルメットシェルに結合させるための結合手段を有している。この実施形態では、前記ヘルメットシェルは、単純に、前記支持アームの遊端を挿入して係合させることができる係合孔を有しており、この係合位置を介して、前記ヘルメットシェルに加えられた外力を前記内装構造体サブアセンブリに伝達することができる。
【００２５】
本発明による保護ヘルメットのさらなる実施形態では、前記顔面保護具支持部は、前記支持アームと係合した前記棒状突出体上に嵌め込むことができるコネクタとして形成される。このことにより、前記顔面保護具をヘルメットに容易に取り付けることができ、それと同時に、前記支持アームの遊端を前記ヘルメットシェルの前記棒状突出体に固定することができる。
【００２６】
本発明による保護ヘルメットのさらなる実施形態では、前記各貫通孔が、前記棒状突出体における前記貫通孔の内側幅以上の幅を有する部分と係合するように構成されている。このことにより、上側から前記ヘルメットに作用した負荷に起因して前記支持アームに加えられた力により、前記支持アームにおいて、前記ヘルメットシェルをその下側縁部まで内向きに変形させるモーメントを生成することができる。この実施形態では、前記内装構造体サブアセンブリの衝撃吸収機能は、前記ヘルメットシェルの弾性変形によって、単純な方法でサポートすることができる。前記支持アームの遊端に設けられた貫通孔は、ヘルメットシェルに力が作用したときに、てこの作用が棒状突出体に作用することができるように、棒状突出体に応じて調節される。
【００２７】
本発明による保護ヘルメットのさらなる実施形態では、前記支持ケージは、下向きに延出して形成され、かつ前記ネックバンドと選択された高さで各々結合可能な２つの連結アームを有する。このことにより、保護ヘルメットの着用者の頭部への適合を、簡単な方法で向上させることができる。
【００２８】
本発明による保護ヘルメットのさらなる実施形態では、支持アーム及び連結アームが、それらに一体的に形成されたリブによって補強されている。このことにより、前記結合位置を介しての力の伝達を、簡単な方法で向上させることができる。
【図面の簡単な説明】
【００２９】
以下、本発明の実施形態について、図面を参照して詳細に説明する。
【００３０】
【図１】本発明による保護ヘルメットの内装構造体サブアセンブリを斜め下方から見た斜視図である。
【図２】図１の内装構造体サブアセンブリを斜め上方から見た斜視図である。
【図３】図１の内装構造体サブアセンブリを本発明による保護ヘルメットのヘルメットシェルに取り付けた状態を示す縦断面図である。
【図４】図３のヘルメットシェルの底面図であり、内装構造体サブアセンブリを取り付けていない状態を示す。
【図５】図４のヘルメットシェルを斜め下方から見た斜視図である。
【図６】顔面保護具及び耳保護具を備えた本発明による保護ヘルメットの一実施形態を示す分解部分断面図である。
【図７】図６の保護ヘルメットを示す底面図であり、顔面保護具、締結ユニット及び耳保護具は保護ヘルメットから離して示している。
【図８】耳保護具を備えた本発明による保護ヘルメットの一実施形態を示す図であり、ヘルメットシェルは断面図で示しており、耳保護具を回動させて耳から離間させた状態を示す。
【図９】図８の保護ヘルメットを示す図であり、耳保護具を回動させて耳にあてた状態を示す。
【図１０】図９の保護ヘルメットを示す側面図である。
【図１１】図１０の保護ヘルメットを示す図であり、耳保護具を回動させて待機位置へ変位させ、ヘルメットシェルの内側に収容した状態を示す。
【図１２】本発明による保護ヘルメットの内装構造体サブアセンブリを示す図であり、ネック領域においてネックバンドの２つの端部を締結ユニットによって互いに着脱自在に締結した状態を示す。
【図１３】本発明による保護ヘルメットの側面図であり、図１２の内装構造体サブアセンブリをヘルメットシェルに取り付けた状態を示す。
【図１４】図１３の保護ヘルメットを示す底面図である。
【図１５】本発明による保護ヘルメットを前方から見た断面図である。
【図１６】図１３の保護ヘルメットを後方から見た部分破断図である。
【図１７】図１３の保護ヘルメットを示す図であり、顔面保護具としてのバイザーを開いた状態を示す。
【図１８】図１７の保護ヘルメットを前方から見た断面図である。
【図１９】図１７の保護ヘルメットを後方から見た破断図である。
【図２０】顔面保護具、耳保護具、及び後頭部領域においてネックバンドに取り付けられた締結ユニットを備えた本発明による保護ヘルメットの一実施形態を示す側面図である。
【発明を実施するための形態】
【００３１】
全体を符号３０で示す、特に森林作業用に作製された本発明による保護ヘルメットの一実施形態を図２０の側面図及び図６の分解部分断面図に示す。本発明の保護ヘルメット３０は、全体を符号３２で示す顔面保護具と、全体を符号３４で示す耳保護具とを含む。本発明の保護ヘルメット３０は、ヘルメットシェル３６と、全体を符号４０で示す内装構造体サブアセンブリとをさらに含む。内装構造体サブアセンブリ４０は、支持ケージ４２、ヘッドバンド４４及びネックバンド４６を含んで構成される。ネックバンド４６は、全体を符号４８で示す締結ユニットを備える。ヘルメットシェル３６は、その外面に、ヘルメットシェル３６に形成された通気オリフィス５２を開閉可能な通気スライド部材５０を備える。
【００３２】
スペーサとして形成された３つの支持アーム５４、５５及び５６（支持アーム５５は図６では見えない）が、内装構造体すなわち内装構造体サブアセンブリ４０をヘルメットシェル３６に三点で取り付けるための手段としての役割を果たす。ヘルメットシェル３６並びに支持アーム５４、５５及び５６は、内装構造体サブアセンブリ４０とヘルメットシェル３６との間に、耳保護具３４の耳覆い部材３５ａ、３５ｂ、他のヘルメット付属品、並びに少なくとも顔面保護具３２及び耳保護具３４のための取付具を収容するための間隙（空間）６０が形成されるような寸法（すなわち、長さ及び内側幅）に形成され配置される。他のヘルメット付属品には、上述した、ネックバンド４６の締結ユニット４８が含まれる。
【００３３】
以下、ヘルメットシェル３６、内装構造体サブアセンブリ４０、内装構造体サブアセンブリ４０のヘルメットシェル３６への取り付け、及びヘルメット付属品について、この順番で詳細に説明する。ヘルメット付属品には、耳保護具３４、顔面保護具３２、耳保護具または顔面保護具の取付具、及び締結ユニット４８が含まれる。
【００３４】
以下、ヘルメットシェル３６について、特に図３〜７及び図１５を参照して詳細に説明する。
【００３５】
ヘルメットシェル３６は、一体的に形成されたプラスチック成形品して形成される。ヘルメットシェル３６のための適切なプラスチック材料としては、例えばＡＢＳが挙げられる。図３は、内装構造体サブアセンブリ４０を取り付けた状態のヘルメットシェル３６に示す縦断面図である。図４は、内装構造体サブアセンブリ４０を取り付けていない状態の図３のヘルメットシェル３６を下方から見た図である。図５は、図４のヘルメットシェルを斜め下方から見た斜視図である。図６は、保護ヘルメット３０の分解部分断面図であり、この図を上から見ると、ヘルメットシェル３６及びその上側の通気スライド部材５０を見ることができる。図７は、図６の保護ヘルメット３０を組み立てた状態を示す底面図であり、顔面保護具３２、締結ユニット４８及び耳保護具３４はヘルメットから離して示している。ヘルメットシェル３６は、ヘルメット着用者の目の上側に位置するヘルメットのつばの機能を果たすように、ある程度前方へ引き出して形成されている。このようにして、ヘルメットシェル３６の前側部分の外面は、木の枝などの障害物に引っ掛かる部分が存在しないように、後側に向かって所定の均等な傾斜角度に立ち上がる斜面となるように形成されている（すなわち外面に大きな段差が存在しない）。保護ヘルメット３０の幅方向に延在する補強リブ６２が、ヘルメットシェル３６の内面の前側部分及び中央部分に一体的に形成されている。また、保護ヘルメット３０の長手方向に延在する補強リブ６４が、補強リブ６２を横断するように、かつヘルメットシェル３６の内面の中央部分を通るように形成されている。補強リブ６２、６４は、図３及び図４に最もよく見える。ヘルメットシェル３６の内面の中央部分において、補強リブ６２、６４は、若干凹んでおりかつ通気オリフィス５２が６つ形成されている領域に接続している。この凹んだ領域において、通気スライド部材５０の２つの前側係合突起６８（ヘルメットの内側に向かって下向きに突出している）がヘルメットシェル３６の２つの前側ガイドスロット６６にそれぞれ係合し、かつ通気スライド部材５０の２つの後側係合突起７０がヘルメットシェル３６の２つの後側ガイドスロット７２にそれぞれ係合することによって、通気スライド部材５０がヘルメットシェル３６の外面にスライド変位可能に配置される。通気スライド部材５０は、通気スライド部材５０を通気位置に位置させたときにヘルメットシェルの通気オリフィス５２の上側に位置する通気オリフィス５３（図６）を有している。通気スライド部材５０を閉鎖位置に位置させたときは、通気スライド部材５０の通気オリフィス５３の位置が変位し、ヘルメットシェルの通気オリフィス５２は通気スライド部材５０によって塞がれる。図５及び１１に見ることができるように、ヘルメット３０の下側縁部は、こめかみ領域及び後頭部領域において横方向下向きに引き出して形成されている。このようにして、内装構造体サブアセンブリ４０とヘルメットシェル３６との間の上述した間隙６０は、こめかみ領域及び後頭部領域においては下向きに拡がっている。このことにより、顔面及び／または耳保護具の取付具をヘルメットシェル３６の内側に配置することや、耳覆い部材３５ａ、３５ｂを間隙６０に収容することが容易になる（図１１参照。詳細については後述する）。
【００３６】
上述したこめかみ領域において、内装構造体サブアセンブリ４０の支持アーム５４または５５と確実かつ着脱自在に結合可能な３つの棒状突出体７４ａまたは７４ｂが、ヘルメットシェル３６の内面の左右両側に一体的に形成されている。棒状突出体７４ａ、７４ｂは、図５の側面図、図４の平面図（図の右側）、及び図１５の断面図に見ることができる。棒状突出体７４ａ、７４ｂは、断面四角形の中空部材であり、棒状突出体の基端部はヘルメットシェル３６の内面と一体的に形成されている。棒状突出体７４ａ、７４ｂの先端部は、自由端となるように、ヘルメットシェル３６の内面から突出している。棒状突出体７４ａ、７４ｂとヘルメットシェル３６の内面との結合、及びそれぞれ三角のナックルの形態をなす連結点に隣接した領域におけるヘルメットシェルへのそれらの結合部は、棒状突出体７４ａ、７４ｂとヘルメットシェル３６との間に一体的に形成された追加のリブによって補強され、これにより棒状突出体７４ａ、７４ｂがヘルメットシェル３６に実質的に強固に結合される。棒状突出体７４ａ、７４ｂに、該棒状突出体を曲げようとする力が該棒状突出体の長手方向を横断する方向に加えられた場合、それに応じて棒状突出体７４ａ、７４ｂはヘルメットシェル３６を変形させようとする。このような構造の目的は、後述する内装構造体サブアセンブリ４０のヘルメットシェル３６への取り付けについての説明に関連してより詳細に説明する。
【００３７】
ヘルメットシェル３６は、その後端部中央の下側縁部に凹部７６を有している。凹部７６の内側にはネックバンド４６の締結ユニット４８が配置される。このことにより、ヘルメット３０を完全に組み立てたときに、ネックバンド４６を締結または締結解除するための手動操作のために締結ユニット４８へアクセスすることが可能となる。
【００３８】
支持アーム５６をヘルメットシェル３６に結合させるために、ヘルメットシェル３６の後頭部領域には、支持アーム５６の自由端（図２）と着脱自在に係合可能なスロット７８が適切に形成されている（図７及び図１５に示す）。支持アーム５６をスロット７８に係合させたとき、支持アーム５６に形成された突起部分５６ａ、５６ｂはヘルメットシェル３６の外側に位置し、ヘルメットシェル３６の外面に隣接することとなる。そのため、上側からヘルメット３６に力が作用したとき、支持アーム５６に引張荷重が加わる。
【００３９】
耳保護具３４の取付具８０は、ヘルメットシェル３６の内面に設けられた２つの耳保護具支持部８０ａ、８０ｂを含む。耳保護具支持部８０ａ、８０ｂはピボットベアリングであり、ヘルメットシェル３６の内面と一体的に形成されるか、または好ましくは別部品として構成されヘルメットシェル３６の内面に分離不能に固定される。耳保護具支持部８０ａ、８０ｂによって、耳覆い部材３５ａ、３５ｂを含む支持ブラケット３７ａ、３７ｂが回動自在に支持される（詳細については後述する）。
【００４０】
顔面保護具３２の取付具８４は、ヘルメットシェル３６の内面に配置される２つの顔面保護具支持部８４ａ、８４ｂを含む。顔面保護具支持部８４ａ、８４ｂによって、バイザー１３２の支持アーム１３２ａ、１３２ｂが回転可能に支持される。顔面保護具支持部８４ａ、８４ｂは、ヘルメットシェル３６の内面と一体的に形成されておらず、支持アーム５４、５５の遊端を棒状突出体に固定すべく棒状突出体７４ａ、７４ｂ上にスナップ結合されるコネクタ１３６ａ、１３６ｂに設けられている。それらに対応するコネクタ１３６ａ、１３６ｂを含む顔面保護具支持部８４ａ、８４ｂは、取付状態において間隙６０（すなわち既に上述したようにヘルメットシェル３６の下側縁部を下向きに引き出して形成された領域）に配置される。
【００４１】
以下、保護ヘルメット３０の内装構造体について、特に図１〜図３、図６及び図１２を参照して詳細に説明する。内装構造体サブアセンブリ４０は、保護ヘルメット３０における着用者の頭部と接触する部分であり、支持ケージ４２と、ヘッドバンド４４と、締結ユニット４８を備えたネックバンド４６とを含む。内装構造体サブアセンブリ４０は、着用者の頭部にヘルメット３０を装着して固定するために、図３及び図６に示すようにヘルメットシェル３６に取り付けることができる。
【００４２】
図１は、本発明による保護ヘルメット３０の内装構造体サブアセンブリ４０を斜め下方から見た斜視図である。図２は、図１の内装構造体サブアセンブリを斜め上方から見た斜視図である。図３は、図１の内装構造体サブアセンブリ４０を保護ヘルメット３０のヘルメットシェル３６に取り付けた状態を示す縦断面図である。図６は、顔面保護具３２及び耳保護具３４を備えた保護ヘルメット３０の一実施形態を示す分解部分断面図である。図１２は、保護ヘルメット３０の内装構造体サブアセンブリ４０を示す図であり、ネック領域においてネックバンド４６の２つの端部を締結ユニット４８によって着脱自在に締結した状態を示す。
【００４３】
支持ケージ４２は、硬くて、弾性的にフレキシブルな材料、好ましくはポリアミドなどのプラスチック材料から形成される。支持ケージ４２は、左右のこめかみ領域及び後頭部領域において斜め下向きまたは斜め後向きに延出して形成された剛性体の支持アーム５４、５５及び５６を有しており、これらのアームにより、内装構造体はヘルメットシェル３０に三点で取り付けられる。また、これらのアームにより、耳保護具３２の耳覆い部材３５ａ、３５ｂ、他のヘルメット付属品並びに顔面及び耳保護具３２、３４の取付具８０、８４を収容することができる間隙６０が、ヘルメットシェル３６と内装構造体との間に形成される。本明細書で説明する実施形態では、支持ケージ４２は、一体形成されたプラスチック成型品として作製される。図２に示すように、支持ケージ４２は、互いに離間配置された一対の帯状の支持ストリップ１４２と、互いに離間配置された一対の帯状の支持ストリップ１４４とをそれらの中央部分において互いに交差させ、各支持ストリップの端部を４箇所の接続点１４６ａ、１４６ｂ、１４６ｃ、１４６ｄにおいて、周縁が閉じた形状の単一の支持ストリップ１４８と一体化させることにより形成される。図１では、支持ストリップ１４２、１４４は十字形の当て物材料の部材１４９によって覆われている。
【００４４】
支持アーム５４、５５、５６は、接続点１４６ａ、１４６ｂ、１４６ｃ、１４６ｄで支持ケージ４２から延出して形成されている。支持ストリップ１４２、１４４が湾曲して延在しており、好ましくは連結点１４６ａ、１４６ｂ、１４６ｃ、１４６ｄ間で実質的に円弧を描くように延在している仮定すると、支持アーム５４、５５、５６は、図１５または図２に見ることができるように、それぞれ支持ケージ１４２から下向きまたは後向きに、それに関連する円弧の実質的に接線方向に延出して形成されている。本明細書で説明する実施形態では、支持アーム５４、５５、５６は、周縁が閉じた形状の支持ストラップ１４８と一体的に形成されている。図２に示すように、ヘッドバンド４４は、支持ケージ４２と一体的に形成されている。ネックバンド４６は、詳細には図示していないが例えばスナップ結合によってヘッドバンド４４の後側の遊端に対して着脱自在に結合される、２つの前側端部を有している。図１〜３に示すように、ネックバンド４６は、ネック領域において着脱自在に、すなわち図１２に示すように締結ユニット４８によって締結可能な２つの遊端を有している。ネックバンド４６は、支持ケージ４２と同じ材料から形成することができる。例えば図１及び図２に示すように、ネックバンド４６は、高さを調節できるようにして、ヘッドバンド４４に結合される前側端部と前記遊端との間に位置する部分で支持ケージ４２にそれぞれ結合されている。この目的のために、支持ケージ４２は、下向きに延出して形成された２つの連結アーム４７ａ、４７ｂを有しており、連結アーム４７ａ、４７ｂによってネックバンド４６を選択された高さでそれぞれ固定することができる。左右両側の各ネックバンド４６は、上下方向に並んで配置された３つの係合孔５１を有しており、これらの係合孔５１を、図１及び図２に示すように、各連結アーム４７ａ、４７ｂに突設された弾性ボルト４９（図６）と係合させることができる。
【００４５】
上述の実施形態では、支持アーム５４、５５は、実際には、支持アーム５６とは異なる方式でヘルメットシェル３６に結合されるが、このことは必須ではない。支持アーム５４、５５は、支持アーム５６と同じ方式でヘルメットシェルに結合させてもよい。必要なのは、支持アーム５４、５５が、支持アーム５６と同じように、支持アーム５４、５５をヘルメットシェル３６に確実に結合させることができる結合手段を備えていることだけである。この場合、支持アーム５４、５５の結合手段は、例えば、支持アーム５６と同様の、ヘルメットシェル３６のスロットに挿入して係合結合させることによって支持アーム５４、５５をヘルメットシェルに結合させる係合結合手段であってもよい。
【００４６】
ヘッドバンド４４は、連結ストリッブ１５０を介して周縁が閉じた形状の支持ストリップ１４８と一体的に形成され、かつ支持ストリップ１４８に対して所定の距離で離間している。また、支持アーム５４、５５、５６及び連結アーム４７ａ、４７ｂは、それらと一体的に形成されたリブ１５２、１５４によって補強されている。
【００４７】
左右のこめかみ領域において下向きに延出して形成された支持アーム５４、５５は、該支持アームをヘルメットシェル３６の内面に結合させるための結合手段を有する。前記結合手段は、各支持アーム５４、５５に設けられた３つの貫通孔１５６、１５８を含み、これらの貫通孔は、ヘルメットシェル３６に設けられた棒状突出体７４ａ、７４ｂと確実に係合することができる。後頭部領域において後向き延出して形成された支持アーム５６は突起部分５６ａ、５６ｂを有しており、これらの突起部分は既に上述したように、内装構造体サブアセンブリ４０をヘルメットシェル３６に着脱自在に結合させるための結合機構を構成する。
【００４８】
図２を参照して、顎ストラップ（図示せず）を取り付けるための取付具８８ａ、８８ｂが支持ケージ４２に形成されている。顎ストラップの取付具８８ａ、８８ｂは２つの枢動ピン９０ａ、９０ｂを含み、これらの枢動ピンは、左右のこめかみ領域で下方向に延出して形成された支持アーム５４、５５に隣接する位置において支持ケージ４２の周縁が閉じた形状の環状支持ストリップ１４８と一体的に形成されるか、または図示のように環状支持ストリップ１４８にスナップ結合により取り付けられた取付部材８９ａ、８９ｂ上に設けられる。
【００４９】
工場作業者や森林作業者用のヘルメットでは、顎ストラップ（図示せず）は、ヘルメットシェルまたは支持ケージ４２に取り付けられる。登山用のヘルメットでは、顎ストラップは、ヘルメットシェルにのみ取り付けられる。
【００５０】
既に部分的に上述したヘルメットシェル３６と内装構造体サブアセンブリ４０との相互結合について、図２、図３及び図１５を参照して要約及び補足説明する。図２は、内装構造体サブアセンブリ４０を斜め上方から見た斜視図である。図３は、内装構造体サブアセンブリ４０を保護ヘルメット３０のヘルメットシェル３６に取り付けた状態を示す縦断面図であり、ネックバンド４６に設けられた締結ユニット４８は図示していない。
【００５１】
図１５は、図３のＸＶ−ＸＶ線に沿って切断した保護ヘルメット３０の断面図であり、締結ユニット４８も図示している。図２では、スペーサとして形成された支持アーム５５及び５６を見ることができる。下向きに延出して形成された他方の支持アーム５５は、図２では見ることができない。支持アーム５５は、図３に示されている。図１５では、支持アーム５４及び５５の断面が示されている。内装構造体サブアセンブリ４０をヘルメットシェル３６に三点で取り付けるために、後向きに延出して形成された支持アーム５６を、該支持アームの突起部分５６ａ、５６ｂをヘルメットシェルのスロット７８にヘルメットシェルの外面と係合するまで挿入する。次に、内装構造体サブアセンブリ４０をヘルメットシェル３６の内面にさらに接近させて、支持アーム５４、５５の貫通孔１５６、１５８にヘルメットシェルの棒状突出体７４ａ、７４ｂを挿入させる。このことにより、図１５に示すように、支持アーム５４、５５の貫通孔１５６、１５８に棒状突出体７４ａ、７４が確実に係合される。ヘルメットシェル３６と棒状突出体７４ａ、７４ｂとの間のナックル部において支持アーム５４、５５をヘルメットシェルの内面に隣接させたとき、棒状突出体７４ａ、７４ｂ上にコネクタ１３６ａ、１３６ｂ（図４及び図５）を嵌め込み、これにより支持アーム５４及び５５を所定の位置に固定する。このようにして、内装構造体サブアセンブリ４０及びヘルメットシェル３６は、三点で互いに結合される。保護ヘルメット３０を着用者の頭部に装着し、締結ユニット４８によって頭部に固定した後、必要であれば、顎ストラップ（図示せず）を追加し、顎の下で結んで固定する。支持アーム５４、５５の貫通孔１５６、１５８は、棒状突出体７４ａ、７４ｂにおける貫通孔１５６、１５８の内側幅以上の幅を有する部分と係合する。上側からヘルメット３０に作用する負荷に起因して支持アーム５４、５５、５６に力が加わったとき、支持アームの遊端で支持されたヘルメットシェル３６によって、支持アームに引張荷重が加わる。支持アーム５４、５５、５６に作用する力によって、ヘルメットシェル３６をその下側縁部まで内向きに変形させようとするモーメントが、前記三点（ヘルメットシェルと支持アームの結合点）のそれぞれにおいて生成される。このようにして、ヘルメットシェル３６はそれに作用する力の一部を変形エネルギーに変換し、これによりヘルメットの着用者に作用する力の影響を低減させることができる。支持アーム５４、５５、５６からヘルメットシェル３６への前記モーメントの伝達は、支持アームをそれと一体的に形成されたリブ１５２によって補強することによって、さらに向上させることができる。
【００５２】
以下、耳保護具３４及びその取付具８０について、添付図面、特に図４〜１１を参照して詳細に説明する。図４は、内装構造体サブアセンブリ４０を取り付けていない状態のヘルメットシェル３６を下方から見た図であり、ヘルメットシェル３６の内面に設けられた耳保護具支持部８０ａ、８０ｂの位置がよく見える。図５は、図４のヘルメットシェル３６を斜め下方から見た斜視図である。図６は、保護ヘルメット３０の分解部分断面図であり、耳保護具３４が他のヘルメット付属品と共に示されている。図７は、保護ヘルメット３０の底面図であり、耳保護具３４はヘルメットから離して示している。明瞭化のために、図７では、ヘルメットの反対側に設けられる左右対称的な耳保護具３４は省略している。図８は、左右両側に耳保護具を備えた保護ヘルメット３０を示す図であり、ヘルメットシェル３６は断面図で示しており、耳保護具３４を回動変位させて耳から離した状態を示す。図９は、図８の保護ヘルメットを示す図であり、耳保護具３４を回動変位させて耳にあてた状態を示す。図１０は、図９の保護ヘルメットを示す側面図である。図１１は、図１０の保護ヘルメットを示す図であり、耳保護具３４を後向きに回動させて待機位置へ変位させ、ヘルメットシェルの内側に収容した状態を示す。
【００５３】
耳保護具３４は、２つの耳覆い部材３５ａ、３５ｂと、２つの耳覆い部材３５ａ、３５ｂを各々回転可能に支持する２つのフォーク様支持ブラケット３７ａ、３７ｂとを含む。図４に見ることができるように、ヘルメットシェル３６の内面に、耳保護具支持部８０ａ、８０ｂが設けられている。図６では耳保護具支持部８０ｂは支持ケージ４２と一体的に示されているが、耳保護具支持部８０ｂは実際には支持ケージ４２ではなく、ヘルメットシェル３６の内面に設けられる（耳保護具支持部８０ａも同様である）。図６は、内装構造体サブアセンブリ４０の支持ケージ４２に対する耳保護具支持部８０ｂの位置を示すことを目的としている。図１０及び図１１に見ることができるように、耳覆い部材３５ａ、３５ｂを保持した支持ブラケット３７ａ、３７ｂが、耳保護具支持部８０ａ、８０ｂによって回動可能に支持されている。耳保護具支持部８０ａ、８０ｂ及び支持ブラケット３７ａ、３７ｂは、支持ブラケット３７ａ、３７ｂを間隙６０内で２つの位置、すなわち図９及び図１０に示す耳覆い部材３５ａ、３５ｂが耳を覆う使用位置と、図１１に示す耳覆い部材３５ａ、３５ｂがヘルメットシェル３６の間隙６０に収容される待機位置との間で回動変位させることができるように構成され配置されている。
【００５４】
各支持ブラケット３７ａ、３７ｂは、図８に示すような各支持ブラケットの曲げていない位置において耳覆い部材３５ａ、３５ｂをそれぞれ回動変位させて耳から離間させることができ、かつ図９に示すような各支持ブラケットの曲げた位置において各耳覆い部材３５ａ、３５ｂをそれぞれ回動変位させて耳に当てることができるように、ばね付勢され、かつ間隙６０内に延在するその両端間の領域で曲げることができるように形成されている。保護ヘルメット３０がユーザの頭部に装着されていない場合、２つの耳覆い部材３５ａ、３５ｂはそれぞれ、それが当てられる耳の位置よりもはるかに内側に位置する前記曲げた位置に達する。言い換えれば、このときの耳覆い部材間の距離は、耳の間の距離よりも実質的に小さくなる。このようにして、ヘルメット３０の装着時は、ばね付勢によって耳覆い部材３５ａ、３５ｂを耳に押し付けた状態に維持することができる。２つの規定された位置の間で各支持ブラケット３７ａ、３７ｂを曲げるためのばね付勢は、円形に曲げたヨークばね９２ａ、９２ｂ（図６）によって実現される。各支持ブラケット３７ａ、３７ｂは、曲げた位置及び曲げていない位置へ手動で変位させることができる。これらの各位置では、ヨークばね９２ａ、９２ｂによって終端位置ロックをもたらすことができる。ヘルメットの着用時は、上述したように各耳覆い部材３５ａ、３５ｂは耳に弾性的に押し付けた状態に維持されるので、支持ブラケット３７ａ、３７ｂの終端位置ロックには達しない。
【００５５】
さらに、各耳保護具支持部８０ａ、８０ｂ及び各支持ブラケット３７ａ、３７ｂは、支持ブラケットが図８に示した位置から後向きにのみ回動することができるように構成される。このことにより、耳覆い部材３５ａ、３５ｂを、耳及びヘルメットシェル３６の下側縁部と衝突することなく、耳の後ろ側の間隙内に収容することができる。
【００５６】
以下、顔面保護具３２について、特に図６〜７及び図１７〜２０を参照してより詳細に説明する。図６は、保護ヘルメット３０の分解部分断面図であり、顔面保護具３２が他のヘルメット付属品と共に示されている。図７は、保護ヘルメット３０の底面図であり、顔面保護具３２のバイザー１３２はヘルメットから離して示している。図１７は、バイザー１３２を開いた状態の保護ヘルメット３０を示す図である。図１８は、図１７の保護ヘルメットを前方から見た断面図である。図１９は、図１７の保護ヘルメットを後方から見た破断図である。図２０は、顔面保護具３２に加えて、耳保護具３４と、後頭部領域においてネックバンド４６に取り付けられた締結ユニット４８とを備えた保護ヘルメット３０の一実施形態を示す側面図である。
【００５７】
顔面保護具３２は、２つのバイザー支持アーム３２ａ、３２ｂと、２つのコネクタ１３６ａ、１３６ｂとを有するバイザー１３２を含み、コネクタ１３６ａ、１３６ｂには、顔面保護具３２の取付具８４としての顔面保護具支持部８４ａ、８４ｂが一体的に設けられている。コネクタ１３６ａ、１３６ｂは棒状突出体７４ａ、７４ｂ上に嵌め込まれ、これにより、顔面保護具支持部８４ａ、８４ｂはヘルメットシェル３６の内面のこめかみ領域に配置されることとなる。顔面保護具支持部８４ｂを有するコネクタ１３６ｂを、図４に見ることができる。顔面保護具支持部８４ａを有し、コネクタ１３６ｂの反対側に配置されるコネクタ１３６ａは、図４では示されていない。各顔面保護具支持部８４ａ、８４ｂは、回転軸方向に突出する、かつ弾性的にフレキシブルな３つのタペット８５ａ、８５ｂを有しており、このタペット８５ａ、８５ｂを介して、リング状ベアリングブッシュ１３４ａ、１３４ｂを有するバイザー支持アーム１３２ａ、１３２ｂが顔面保護具支持部８４ａ、８４ｂに着脱自在かつ回動可能に取り付けられる。顔面保護具支持部８４ａ、８４ｂ及びバイザー支持アーム１３２ａ、１３２ｂは、各支持アーム１３２ａ、１３２ｂを間隙６０内で２つの位置、すなわちバイザー１３２を閉じた着用者の顔面を覆って保護する状態の使用位置（図２０）と、バイザー１３２を開いた状態のヘルメットシェル３６の外面に密接に隣接する待機位置（図１７及び１９）との間で回動させることができるように構成され配置される。顔面保護具の取付具８４は、バイザー支持アーム１３２ａ、１３２ｂのための自己保持マウント部を有している。この目的のために、各バイザー支持アーム１３６ａ、１３６ｂは、バイザー支持アーム１３２ａ、１３２ｂに取り付けられたリング状ベアリングブッシュ１３４ａ、１３４ｂを使用位置または待機位置において弾性付勢された状態で保持するためのばね付勢ボルトを有している。
【００５８】
バイザー１３２は、各バイザー支持アーム１３２ａ、１３２ｂ（図６）と共に、バイザーを開いたときに（図１７）ヘルメットシェル３６の周縁部を密接に収容することができるフォーク状部材を形成する。バイザー１３２を閉じたとき、バイザー１３２の上側縁部はヘルメットシェル３６の前側縁部に隣接し、バイザーの側方縁部はヘルメットシェルの外面に隣接する。したがって、保護ヘルメットの使用時（例えば森林作業時）は、バイザーを閉じている場合でも開いている場合でも、木の枝がバイザー１３２やバイザー支持アーム１３２ａ、１３２ｂに引っ掛かってヘルメットの着用者を危険にさらすことが生じない。
【００５９】
以下、締結ユニット４８について、より詳細に説明する。締結ユニット４８は耳保護具３４と同様なヘルメット付属品であって、締結ユニット４８の領域において障害物に引っ掛かるおそれがある突出部分が存在しないように、耳保護具３４と共に常にヘルメットシェル３６の周縁部の内側に位置する。締結ユニット４８について、特に図１２〜１６を参照して説明する。図１２は、保護ヘルメット３０の内装構造体サブアセンブリ４０を示す側面図であり、ネック領域においてネックバンド４６の２つの端部を締結ユニット４８によって着脱自在に締結した状態を示す。図１３は、図１２の内装構造体サブアセンブリをヘルメットシェル３６に取り付けた状態を示す側面図であり、図１２のような締結状態の締結ユニット４８が示されている。図１４は、図１３の保護ヘルメット３０を下方から見た図である。図１５は、保護ヘルメット３０を前方から見た断面図である。図１６は、図１３の保護ヘルメット３０を後方から見た部分破断図である。
【００６０】
締結ユニット４８はマウント部１６８を含み、マウント部１６８の左右両端にネックバンド４６の遊端が挿入される。マウント部１６８は、ネックバンド４６の複数の傾斜係合孔１７６と係合可能な傾斜係合ノブを有している。このことにより、ネックバンド４６の長さを、着用者の頭部のサイズに応じて大まかに調節することができる。この調節は、締結ユニットを機能させていないときに保護ヘルメット３０を簡単にかぶることができるように適切に行われる。ヘルメット３０をかぶった後のネックバンド４６の締結は、以下に説明するようにして締結ユニット４８により行う。
【００６１】
図１４に示すように、支持シェル１７２及びマウント部１６８が、伝達レバー１６９によって互いにジョイント結合されている。図１４を参照して、伝達レバー１６９の一端部が、ジョイント１７０（図１２）によって支持シェル１７２の下端部に連結されている。図１６を参照して、伝達レバー１６９の他端部が、ジョイント１７１によって、マウント部１６８の上端部に連結されている。
【００６２】
締結ユニット４８は、ジョイント１７３によってマウント部１６８に連結されたロック用フラップ１７４（図１２）によって操作される。ロック用フラップ１７４は、ジョイント１７３の下側に位置し、その側方に伝達レバー１６９が隣接するタペット（図示せず）を有する。図１２に示すようにロック用フラップ１７４を閉じた場合、伝達レバー１６９へのタペットの作用により、マウント部１６８の下端部が後向きに回動して、ジョイント１７０から遠ざかる。この回動により、ネックバンド４６が締結される。この過程では、締結ユニット４８は、ネック領域において、支持シェル１７２によって着用者の後頭部に支持される。図示しないばねがジョイント１７１に対応して設けられており、前記ばねは、ロック用フラップ１７４を開いたときに伝達レバー１６９のジョイント１７０をマウント部１６８の下側縁部に向けて付勢するために、マウント部１６８と伝達レバー１６９との間に配置される。支持シェル１７２の上端部がマウント部１６８の上端部から離間する方向に回動変位したストッパ位置に支持シェル１７２を付勢するために、ジョイント１７０の領域において、別のばね（図示しない）が支持シェル１７２と伝達レバー１６９の間に設けられる。
【００６３】
締結ユニット４８の機能は、ロック用フラップ１７４によって発揮される。ロック用フラップ１７４を時計回りに回動させて閉じると（図１２）、マウント部１６８がジョイント１７１を中心にして回動変位し、支持シェル１７２の下側縁部がマウント部１６８の下側縁部から離間する。これは、締結ユニットの締結位置であり、図１２〜１４に見ることができる。ロック用フラップ１７４を反時計回りに回転させて開くと、締結ユニット４８は開状態になる。その結果、マウント部１６８の下側縁部は、支持シェル１７２に設けられたジョイント１７０に向かって変位し、これによりネックバンド４６が解放され、保護ヘルメット３０の着脱が可能となる。保護ヘルメット３０をかぶったときは、ロック用フラップ１７４を下向きに回動させるだけで、保護ヘルメット３０を着用者の頭部に固定することができる。このことは、着用者が片手で、また手袋をしていても、簡単に行うことができる。支持シェル１７２の前側は、当て物材料の部材１８０で覆われている。
【符号の説明】
【００６４】
３０      保護ヘルメット
３２      顔面保護具
３４      耳保護具
３５ａ    耳覆い部材
３５ｂ    耳覆い部材
３６      ヘルメットシェル
３７ａ    支持ブラケット
３７ｂ    支持ブラケット
４０      内装構造体サブアセンブリ
４２      支持ケージ
４４      ヘッドバンド
４６      ネックバンド
４７ａ    支持アーム
４７ｂ    支持アーム
４８      締結ユニット
４９      ボルト
５０      通気スライド部材
５１      係合孔
５２      通気オリフィス
５３      通気オリフィス
５４      支持アーム
５５      支持アーム
５６      支持アーム
５６ａ    突起部分
５６ｂ    突起部分
６０      間隙
６２      補強リブ
６４      補強リブ
６６      前側ガイドスロット
６８      前側係合突起
７０      後側係合突起
７２      後側ガイドスロット
７４ａ    棒状突出体
７４ｂ    棒状突出体
７６      凹部
７８      スロット
８０      耳保護具の取付具
８０ａ    耳保護具支持部
８０ｂ    耳保護具支持部
８４      顔面保護具の取付具
８４ａ    顔面保護具支持部
８４ｂ    顔面保護具支持部
８５ａ    タペット
８６ｂ    タペット
８８ａ    顎ストラップの取付具
８８ｂ    顎ストラップの取付具
８９ａ    取付部材
８９ｂ    取付部材
９０ａ    枢動ピン
９０ｂ    枢動ピン
９２ａ    ヨークばね
９２ｂ    ヨークばね
１３２    バイザー
１３２ａ  保持アーム
１３２ｂ  保持アーム
１３４ａ  リング状ベアリングブッシュ
１３４ｂ  リング状ベアリングブッシュ
１３６ａ  コネクタ
１３６ｂ  コネクタ
１４２    支持ストリップ
１４４    支持ストリップ
１４６ａ  接続点
１４６ｂ  接続点
１４６ｃ  接続点
１４６ｄ  接続点
１４８    支持ストリップ
１４９    当て物材料
１５０    連結ストリップ
１５２    リブ
１５４    リブ
１５６    貫通孔
１５８    貫通孔
１６８    支持シェルのマウント部
１６９    伝達レバー
１７０    ジョイント
１７１    ジョイント
１７２    支持シェル
１７３    ジョイント
１７４    ロック用フラップ
１７６    傾斜係合孔
１８０    当て物材料の部材
【図１】
0006046613.tif 000002
【図２】
0006046613.tif 000003
【図３】
0006046613.tif 000004
【図４】
0006046613.tif 000005
【図５】
0006046613.tif 000006
【図６】
0006046613.tif 000007
【図７】
0006046613.tif 000008
【図８】
0006046613.tif 000009
【図９】
0006046613.tif 000010
【図１０】
0006046613.tif 000011
【図１１】
0006046613.tif 000012
【図１２】
0006046613.tif 000013
【図１３】
0006046613.tif 000014
【図１４】
0006046613.tif 000015
【図１５】
0006046613.tif 000016
【図１６】
0006046613.tif 000017
【図１７】
0006046613.tif 000018
【図１８】
0006046613.tif 000019
【図１９】
0006046613.tif 000020
【図２０】
0006046613.tif 000021